(57)【要約】【課題】  バイブレータ等の振動手段の専用制御信号をなくして制御回路規模を小さくし、ソフトウエア制御が容易となる携帯電話機の着信報知手段制御装置を得る。【解決手段】  着信時に制御信号を出力する着信報知手段制御回路１０、この着信報知手段制御回路の制御信号によって駆動され、ＰＷＭ変調された出力信号を導出する発音ユニット駆動回路１１と、この発音ユニット駆動回路の出力信号にもとづいて駆動され携帯電話機における着呼を聴覚的に知らせる発音ユニット１３を具備した発音手段１８、この発音手段における前記発音ユニット駆動回路からの出力信号にもとづいて駆動され、携帯電話機における着呼を触覚的に知らせる振動手段１９を備え、前記発音手段における発音ユニット駆動回路の出力信号を、前記発音手段と振動手段の駆動制御信号として併用するよう構成したもの。【選択図】図１
2006115085.tif 000002
【特許請求の範囲】
【請求項１】
着信時に制御信号を出力する着信報知手段制御回路、この着信報知手段制御回路の制御信号によって駆動され、ＰＷＭ変調された出力信号を導出する発音ユニット駆動回路と、この発音ユニット駆動回路の出力信号にもとづいて駆動され携帯電話機における着呼を聴覚的に知らせる発音ユニットを具備した発音手段、この発音手段における前記発音ユニット駆動回路からの出力信号にもとづいて駆動され、携帯電話機における着呼を触覚的に知らせる振動手段を備え、前記発音手段における発音ユニット駆動回路の出力信号を、前記発音手段と振動手段の駆動制御信号として併用するよう構成したことを特徴とする携帯電話機の着信報知手段制御装置。
【請求項２】
前記発音ユニット駆動回路はディジタルオーディオアンプによって構成され、このディジタルオーディオアンプの出力信号を、前記振動手段の制御信号に適した信号に補正する制御信号補正回路を備えたことを特徴とする請求項１に記載の携帯電話機の着信報知手段制御装置。
【請求項３】
前記発音ユニット駆動回路の出力信号の、前記発音ユニットおよび前記振動手段への入力回路中に、前記着信報知手段制御回路によって制御される切替手段を設け、前記切替手段の切替操作により、前記発音ユニットおよび振動手段の少なくとも一方を選択して動作させるようにしたことを特徴とする請求項１または請求項２に記載の携帯電話機の着信報知手段制御装置。
【請求項４】
着信時に制御信号を出力する着信報知手段制御回路、この着信報知手段制御回路の制御信号によって駆動され、ＰＷＭ変調された出力信号を導出する発音ユニット駆動回路と、この発音ユニット駆動回路の出力信号にもとづいて駆動され携帯電話機における着呼を聴覚的に知らせる発音ユニットを具備した発音手段、この発音手段における前記発音ユニット駆動回路からの出力信号にもとづいて駆動され、携帯電話機における着呼を視覚的に知らせる表示手段を備え、前記発音手段における発音ユニット駆動回路の出力信号を、前記発音手段と表示手段の駆動制御信号として併用するよう構成したことを特徴とする携帯電話機の着信報知手段制御装置。
【請求項５】
前記発音ユニット駆動回路はディジタルオーディオアンプによって構成され、このディジタルオーディオアンプの出力信号を、前記表示手段の制御信号に適した信号に補正する制御信号補正回路を備えたことを特徴とする請求項４に記載の携帯電話機の着信報知手段制御装置。
【請求項６】
前記発音ユニット駆動回路の出力信号の、前記発音ユニットおよび前記表示手段への入力回路中に、前記着信報知手段制御回路によって制御される切替手段を設け、前記切替手段の切替操作により、前記発音ユニットおよび表示手段の少なくとも一方を選択して動作させるようにしたことを特徴とする請求項４または請求項５に記載の携帯電話機の着信報知手段制御装置。
【請求項７】
着信時に制御信号を出力する着信報知手段制御回路、この着信報知手段制御回路の制御信号によって駆動され、ＰＷＭ変調された出力信号を導出する発音ユニット駆動回路と、この発音ユニット駆動回路の出力信号にもとづいて駆動され携帯電話機における着呼を聴覚的に知らせる発音ユニットを具備した発音手段、この発音手段における前記発音ユニット駆動回路からの出力信号にもとづいて駆動され、携帯電話機における着呼を、触覚的に知らせる振動手段、および、視覚的に知らせる表示手段を備え、前記発音手段における発音ユニット駆動回路の出力信号を、前記発音手段と、振動手段、および、表示手段の駆動制御信号として併用するよう構成したことを特徴とする携帯電話機の着信報知手段制御装置。
【請求項８】
前記発音ユニット駆動回路はディジタルオーディオアンプによって構成され、このディジタルオーディオアンプの出力信号を、前記振動手段および表示手段の制御信号に適した信号に補正する制御信号補正回路を備えたことを特徴とする請求項７に記載の携帯電話機の着信報知手段制御装置。
【請求項９】
前記発音ユニット駆動回路の出力信号の、前記発音ユニット、前記振動手段、および、前記表示手段への入力回路中に、前記着信報知手段制御回路によって制御される切替手段を設け、前記切替手段の切替操作により、前記発音ユニット、振動手段、および、表示手段の少なくとも一方を選択して動作させるようにしたことを特徴とする請求項７または請求項８に記載の携帯電話機の着信報知手段制御装置。
【発明の詳細な説明】
【技術分野】
【０００１】
この発明は、携帯電話機の着信報知手段制御装置に関し、特に、ディジタルオーディオアンプを有する携帯電話機において、アンプの出力信号を、触覚的あるいは視覚的報知手段の駆動制御信号に使用するようにした携帯電話機の着信報知手段制御装置に関するものである。
【背景技術】
【０００２】
従来の携帯電話機の着信報知手段制御装置としては、例えば、特開平４−１３７９２９号公報（特許文献１）に示されるように、着信時に着信信号の判別できる制御回路と、この制御回路からの起動制御信号により駆動され、その着信を知らせる発音手段とを備えた携帯電話機において、着信動作モードを選択して前記制御回路に与えるモード選択手段と、起動制御信号により機械振動を与える振動手段とを備え、前記制御回路はモード選択手段により選択された着信動作モードに応じて発音手段または振動手段に起動制御信号を与える構成としたものが知られている。
【０００３】
【特許文献１】特開平４−１３７９２９号広報（第１図）
【発明の開示】
【発明が解決しようとする課題】
【０００４】
この特許文献１に示されるように、従来の携帯電話機における着信報知手段制御装置は、着信を聴覚的に知らせる発音手段と、機械振動を与える振動手段とを駆動するための制御信号を別々にもつ必要があるため、それぞれ専用の制御信号が必要で、制御回路規模が大きくなるという問題点があった。
また、発音手段によって出力される着信音と、振動手段によって振動される振動ユニットとを連動させる場合、個別に制御を行う必要があるため、ソフトウエア制御が複雑になるという問題点があった。
【０００５】
この発明は、上記のような従来装置の問題点を解消するためになされたもので、報知手段専用の制御信号を共有することで制御回路規模を小さくし、かつソフトウエア制御が容易となる携帯電話機の着信報知手段制御装置を提供することを目的とする。
【課題を解決するための手段】
【０００６】
この発明に係る携帯電話機の着信報知手段制御装置は、着信時に制御信号を出力する着信報知手段制御回路、この着信報知手段制御回路の制御信号によって駆動され、ＰＷＭ変調された出力信号を導出する発音ユニット駆動回路と、この発音ユニット駆動回路の出力信号にもとづいて駆動され携帯電話機における着呼を聴覚的に知らせる発音ユニットを具備した発音手段、この発音手段における前記発音ユニット駆動回路からの出力信号にもとづいて駆動され、携帯電話機における着呼を触覚的に知らせる振動手段を備え、前記発音手段における発音ユニット駆動回路の出力信号を、前記発音手段と振動手段の駆動制御信号として併用するよう構成したものである。
【０００７】
また、前記振動手段の代わりに、あるいは、振動手段に加えて、携帯電話機における着呼を視覚的に知らせる表示手段を備え、前記発音手段における発音ユニット駆動回路の出力信号を、該表示手段の駆動制御信号として併用するよう構成したものである。
【０００８】
また、この発明に係る携帯電話機の着信報知手段制御装置は、前記発音手段と、前記振動手段、および／または、前記表示手段を備えたものにおいて、
前記発音ユニット駆動回路の出力信号の、前記発音ユニットと、前記振動手段、および／または、前記表示手段への入力回路中に、前記着信報知手段制御回路によって制御される切替手段を設け、前記切替手段の切替操作により、前記発音ユニット、振動手段、および、表示手段の少なくとも一方を選択して動作させるよう構成したものである。
【発明の効果】
【０００９】
この発明によれば、発音ユニット駆動回路のＰＷＭ変調された出力信号を、触覚的報知手段あるいは視覚的報知手段の制御信号に併用する構成としたので、触覚的報知手段あるいは視覚的報知手段専用の制御信号が不要となり、制御回路規模を小さくすることが可能となる。
【００１０】
また、発音ユニット駆動回路（ディジタルオーディオアンプ）の出力信号の信号レベルに連動して振動手段あるいは表示手段が動作する構成としたので、発音ユニット駆動回路を駆動させるための制御信号のみで、発音手段によって出力される着信音と、振動手段によって振動される振動ユニット、あるいは、表示手段によって表示される着信ＬＥＤユニットとを連動させることが可能となり、ソフトウエア制御が容易となる。
【発明を実施するための最良の形態】
【００１１】
実施の形態１．
この発明の実施の形態１における携帯電話機の着信報知手段制御装置を図１〜図２に基づいて説明する。図１は、実施の形態１の携帯電話機の全体構成を示すブロック図、図２は、この発明の主要部をなす着信報知手段制御装置の構成を示すブロック図であり、図中、同一符号は、同一部分を示す。
【００１２】
図１において、１は携帯電話機、２はアンテナ、３は無線部、４は音声処理部、５は制御部、６は送話部、７は受話部、８は表示部、９は操作部、１０は着信報知手段制御回路、１１は発音ユニット駆動回路で、例えば、ディジタルオーディオアンプによって構成されている。１２は低域通過フィルタ、１３は発音ユニット、１４は制御信号補正回路、１５は振動ユニット駆動回路、１６は振動ユニット、１７は着信報知手段制御装置、１８は発音手段、１９は振動手段である。
【００１３】
アンテナ２で受信した高周波信号は、無線部３の受信部で復調等の処理が施された後、音声処理部４で音声信号として処理され、受話部７に出力される。送話部６から入力される音声信号は、音声処理部４で音声処理された後、無線部３の送信部で変調等の処理が施され、アンテナ２から送信される。
【００１４】
発信の場合、操作部９でのダイヤル操作によって、ダイヤル番号等を表示部８に表示し、制御部５が発信操作を行い、無線部３、アンテナ２から相手先への呼び出し信号が送信される。着信の場合、無線部３より出力される信号により、制御部５が着信を認知し、後述のように、着信報知手段制御装置１７において、各種報知手段により着呼状態をユーザーに通知し、ユーザーにより着信操作が行われる。
【００１５】
つぎに、着信報知手段制御装置１７の動作内容を図２に基づいて説明する。
図２において、着信時に着信報知手段制御回路１０からの制御信号が発音手段１８の発音ユニット駆動回路（ディジタルオーディオアンプ）１１に入力され、発音ユニット駆動回路１１が動作状態となり、オーディオ信号が増幅され、ＰＷＭ変調された信号を出力する。
この出力信号が低域通過フィルタ１２および制御信号補正回路１４に入力される。
低域通過フィルタ１２では、ＰＷＭ変調された信号のうち、高調波成分がカットされ、発音ユニット１３へ入力され、発音ユニット１３（例えば、スピーカ、ブザー）により着信音が出力される。
【００１６】
また、制御信号補正回路１４では、ＰＷＭ変調された信号波形を鈍らせる積分回路、または、「ハイレベル」の信号が入力されるとカウントアップされ、一定カウント毎に信号レベルを「ハイレベル」、「ローレベル」に変化させながら出力されるカウンタ回路等で構成され、振動手段１９の振動ユニット駆動回路１５の制御信号として適切な制御信号になるよう補正を行う。
振動ユニット駆動回路１５では、制御信号補正回路１４からの信号が、振動ユニットを駆動するかどうかの制御信号となり、制御信号が「ハイレベル」である場合、振動ユニット１６（例えば、バイブレータ）が振動し、「ローレベル」である場合、振動ユニット１６（例えば、バイブレータ）の振動は停止する。
【００１７】
以上のように、この発明の実施の形態１によれば、発音手段として、ディジタルオーディオアンプのような発音ユニット駆動回路１１を有する携帯電話機１において、発音ユニット駆動回路１１の出力信号（ＰＷＭ変調信号）を、振動手段１９の振動ユニット駆動回路１５の制御信号として適切な制御信号になるよう補正を行い、振動ユニット駆動回路１５の制御信号に使用することで、振動手段１９専用の制御信号が不要となり、制御回路規模を小さくすることができる。
また、発音ユニット駆動回路１１の出力信号に連動して振動ユニット１６が動作する構成としたので、発音ユニット駆動回路への制御信号を動作状態にすることのみで、着信音とバイブレータ等の振動ユニットを連動させることができ、ソフトウエア制御が容易となる。
【００１８】
なお、上記実施の形態１では、発音ユニット駆動回路１１の出力信号であるＰＷＭ変調信号の高調波成分がカットされたオーディオ信号を発音ユニット１３に入力するために、低域通過フィルタ１２を挿入した構成を示したが、この低域通過フィルタ１２がない構成としてもよい。
【００１９】
なおまた、上記実施の形態１では、発音ユニット駆動回路１１の出力信号であるＰＷＭ変調信号を振動ユニット駆動回路の制御信号として適切な制御信号となるようにするために、制御信号補正回路１４を挿入した構成を示したが、この制御信号補正回路１４がない構成としてもよい。
【００２０】
実施の形態２．
図３はこの発明の実施の形態２の着信報知手段制御装置の構成を示すブロック図である。
なお、図中、図１、図２との同一符号は、同一または相当部分を示すもので、詳細説明は省略する。
図３において、２０は着信ＬＥＤユニット、２１は表示手段である。なお、携帯電話機の構成は、図１と同様のものである。
【００２１】
次に、着信報知手段制御装置の動作内容を図３に基づいて説明する。
図３において、着信時に着信報知手段制御回路１０からの制御信号が発音手段１８の発音ユニット駆動回路（ディジタルオーディオアンプ）１１に入力され、発音ユニット駆動回路１１が動作状態となり、オーディオ信号が増幅され、ＰＷＭ変調された信号を出力する。
この出力信号が低域通過フィルタ１２および制御信号補正回路１４に入力される。
低域通過フィルタ１２では、ＰＷＭ変調された信号のうち、高調波成分がカットされ、発音ユニット１３へ入力され、発音ユニット１３（例えば、スピーカ、ブザー）により着信音が出力される。
【００２２】
また、制御信号補正回路１４では、ＰＷＭ変調された信号波形を鈍らせる積分回路、または、「ハイレベル」の信号が入力されるとカウントアップされ、一定カウント毎に信号レベルを「ハイレベル」、「ローレベル」に変化させながら出力されるカウンタ回路等で構成され、表示手段２１の着信ＬＥＤユニット２０の制御信号として適切な制御信号になるよう補正を行う。この制御信号補正回路１４からの出力信号が着信ＬＥＤユニット２０に入力され、着信ＬＥＤが発光する。
【００２３】
以上のように、この発明の実施の形態２によれば、発音手段として、ディジタルオーディオアンプのような発音ユニット駆動回路１１を有する携帯電話機１において、発音ユニット駆動回路１１の出力信号（ＰＷＭ変調信号）を表示手段２１の着信ＬＥＤユニット２０の制御信号として適切な制御信号になるよう補正を行い、着信ＬＥＤユニット２０の制御信号とすることで、表示手段専用の制御信号および着信ＬＥＤ駆動回路が不要となり、回路規模を小さくすることができる。
また、発音ユニット駆動回路１１の出力信号に連動して着信ＬＥＤユニット２０が動作する構成としたので、発音ユニット駆動回路への制御信号を動作状態にすることのみで、着信音と着信ＬＥＤユニットを連動させることができ、ソフトウエア制御が容易となる。
【００２４】
実施の形態３．
図４はこの発明の実施の形態３の着信報知手段制御装置の構成を示すブロック図である。なお、図中、図１〜図３との同一符号は、同一または相当部分を示すもので、詳細説明は省略する。また、携帯電話機の構成は、図１と同様のものである。
【００２５】
実施の形態３の着信報知手段制御装置の動作内容を図４に基づいて説明する。
図４において、着信時に着信報知手段制御回路１０からの制御信号が発音ユニット駆動回路（ディジタルオーディオアンプ）１１に入力され、発音ユニット駆動回路１１が動作状態となり、オーディオ信号が増幅され、ＰＷＭ変調された信号を出力する。
この出力信号が低域通過フィルタ１２および制御信号補正回路１４に入力される。
低域通過フィルタ１２では、ＰＷＭ変調された信号のうち、高調波成分がカットされ、発音ユニット１３へ入力され、発音ユニット１３（例えば、スピーカ、ブザー）により着信音が出力される。
【００２６】
また、制御信号補正回路１４では、ＰＷＭ変調された信号波形を鈍らせる積分回路、または、「ハイレベル」の信号が入力されるとカウントアップされ、一定カウント毎に信号レベルを「ハイレベル」、「ローレベル」に変化させながら出力されるカウンタ回路等で構成され、振動手段１９の振動ユニット駆動回路１５の制御信号および、表示手段２１の着信ＬＥＤユニット２０の制御信号として適切な制御信号になるよう補正を行う。
振動ユニット駆動回路１５では、制御信号補正回路１４からの出力信号が、振動ユニット１６を駆動するかどうかの制御信号となり、制御信号が「ハイレベル」である場合、振動ユニット１６（例えば、バイブレータ）が振動し、「ローレベル」である場合、振動ユニット１６（例えば、バイブレータ）の振動は停止する。
また、制御信号補正回路１４からの出力信号が着信ＬＥＤユニット２０に入力され、着信ＬＥＤが発光する。
【００２７】
以上のように、この発明の実施の形態３によれば、発音手段として、ディジタルオーディオアンプのような発音ユニット駆動回路１１を有する携帯電話機において、発音ユニット駆動回路１１の出力信号（ＰＷＭ変調信号）を、振動ユニット駆動回路１５の制御信号および着信ＬＥＤユニット２０の制御信号として適切な制御信号になるよう補正を行い、振動ユニット駆動回路１５の制御信号および着信ＬＥＤユニット２０の制御信号に使用することで、振動手段および表示手段専用の制御信号、および着信ＬＥＤ駆動回路が不要となり、回路規模を小さくすることができる。
また、発音ユニット駆動回路１１の出力信号に連動して、振動ユニット１６および着信ＬＥＤユニット２０が動作する構成としたので、発音ユニット駆動回路への制御信号を動作状態にすることのみで、着信音とバイブレータ等の振動ユニットおよび着信ＬＥＤユニットを連動させることができ、ソフトウエア制御が容易となる。
【００２８】
実施の形態４．
図５はこの発明の実施の形態４の着信報知手段制御装置の構成を示すブロック図である。
なお、図中、図１〜図４との同一符号は、同一または相当部分を示すもので、詳細説明は省略する。また、携帯電話機の構成は、図１と同様のものである。
【００２９】
図５において、２２、２３はスイッチ、２４は切替手段である。その他の構成は、実施の形態１と同様であり、ここでは説明を省略する。
すなわち、この実施の形態４が実施の形態１と異なる点は、発音ユニット駆動回路（ディジタルオーディオアンプ）１１からの出力パスの切替を行うためのスイッチ２２、２３が挿入されており、着信報知手段制御回路１０から各スイッチの制御を行う構成となっている点である。
【００３０】
次に、実施の形態４の着信報知手段制御装置の動作内容を図５に基づいて説明する。
図５において、着信報知手段制御回路１０、スイッチ２２、２３以外の動作は実施の形態１と同様であり、ここでは説明を省略する。着信報知手段制御回路１０では、スイッチ２２、２３を使って、着信音（発音ユニット１３）とバイブレータ等の振動ユニット１６を個別に動作させるか、両者を連動させるかの制御を行う。各場合とスイッチの状態との関係を以下で説明する。
着信音（発音ユニット１３）のみを動作させる場合は、スイッチ２２を閉じて、スイッチ２３を開く。バイブレータ等の振動ユニット１６のみを動作させる場合は、スイッチ２２を開き、スイッチ２３を閉じる。着信音とバイブレータ等の振動ユニットを連動させる場合は、スイッチ２２、２３をともに閉じる。
【００３１】
以上のように、この発明の実施の形態４によれば、ディジタルオーディオアンプのような発音ユニット駆動回路１１を有する携帯電話機において、発音ユニット駆動回路１１の出力信号（ＰＷＭ変調信号）パスをスイッチにより切り替える手段２４を設けることで、着信音出力と振動ユニットの動作を選択して動作させることができる。
また、スイッチ２２、２３をともに閉じた場合、発音ユニット駆動回路１１の出力信号に連動して着信音と振動ユニットが動作する構成となることから、実施の形態１と同様の効果が得られる。
【００３２】
実施の形態５．
図６はこの発明の実施の形態５の着信報知手段制御装置の構成を示すブロック図である。
なお、図中、図１〜図５との同一符号は、同一または相当部分を示すもので、詳細説明は省略する。また、携帯電話機の構成は、図１と同様のものである。
【００３３】
図６において、２２、２５はスイッチ、２６は切替手段である。その他の構成は、実施の形態２と同様であり、ここでは説明を省略する。
すなわち、実施の形態５が実施の形態２と異なる点は、発音ユニット駆動回路（ディジタルオーディオアンプ）１１からの出力パスの切替を行うためのスイッチ２２、２５が挿入されており、着信報知手段制御回路１０から各スイッチの制御を行う構成となっている点である。
【００３４】
この実施の形態５の着信報知手段制御装置の動作内容を図６に基づいて説明する。
図６において、着信報知手段制御回路１０、スイッチ２２、２５以外の動作は実施の形態２と同様であり、ここでは説明を省略する。着信報知手段制御回路１０では、スイッチ２２、２５を使って、着信音（発音ユニット１３）と着信ＬＥＤユニット２０を個別に動作させるか、両者を連動させるかの制御を行う。各場合とスイッチの状態との関係を以下で説明する。
着信音（発音ユニット１３）のみを動作させる場合は、スイッチ２２を閉じて、スイッチ２５を開く。着信ＬＥＤユニット２０のみを動作させる場合は、スイッチ２２を開き、スイッチ２５を閉じる。着信音と着信ＬＥＤユニットを連動させる場合は、スイッチ２２、２５をともに閉じる。
【００３５】
以上のように、この発明の実施の形態５によれば、ディジタルオーディオアンプのような発音ユニット駆動回路１１を有する携帯電話機において、発音ユニット駆動回路１１の出力信号（ＰＷＭ変調信号）パスをスイッチにより切り替える手段２６を設けることで、着信音出力と着信ＬＥＤユニットの動作を選択して動作させることができる。
また、スイッチ２２、２５をともに閉じた場合、発音ユニット駆動回路１１の出力信号に連動して着信音と着信ＬＥＤユニットが動作する構成となることから、実施の形態２と同様の効果が得られる。
【００３６】
実施の形態６．
図７はこの発明の実施の形態６の着信報知手段制御装置の構成を示すブロック図である。
なお、図中、図１〜図６との同一符号は、同一または相当部分を示すもので、詳細説明は省略する。また、携帯電話機の構成は、図１と同様のものである。
【００３７】
図７において、２２、２３、２５はスイッチ、２７は切替手段である。その他の構成は、実施の形態３と同様であり、ここでは説明を省略する。
すなわち、実施の形態６が実施の形態３と異なる点は、発音ユニット駆動回路（ディジタルオーディオアンプ）１１からの出力パスの切替を行うためのスイッチ２２、２３、２５が挿入されており、着信報知手段制御回路１０から各スイッチの制御を行う構成となっている点である。
【００３８】
この実施の形態６の着信報知手段制御装置の動作内容を図７に基づいて説明する。
図７において、着信報知手段制御回路１０、スイッチ２２、２３、２５以外の動作は実施の形態３と同様であり、ここでは説明を省略する。着信報知手段制御回路１０では、スイッチ２２、２３、２５を使って、着信音（発音ユニット１３）とバイブレータ等の振動ユニット１６および着信ＬＥＤユニット２０を個別に動作させるか、各々を連動させるかの制御を行う。各場合とスイッチの状態との関係を以下で説明する。
着信音（発音ユニット１３）のみを動作させる場合は、スイッチ２２を閉じて、スイッチ２３、２５を開く。バイブレータ等の振動ユニット１６のみを動作させる場合は、スイッチ２３を閉じて、スイッチ２２、２５を開く。着信ＬＥＤユニット２０のみを動作させる場合は、スイッチ２５を閉じ、スイッチ２２、２３を開く。
着信音（発音ユニット１３）とバイブレータ等の振動ユニット１６を連動させる場合は、スイッチ２２、２３を閉じ、スイッチ２５を開く。着信音と着信ＬＥＤユニット２０を連動させる場合は、スイッチ２２、２５を閉じ、スイッチ２３を開く。着信音とバイブレータ等の振動ユニット１６および着信ＬＥＤユニット２０を連動させる場合は、スイッチ２２、２３、２５をすべて閉じる。
【００３９】
以上のように、この発明の実施の形態６によれば、ディジタルオーディオアンプのような発音ユニット駆動回路１１を有する携帯電話機において、発音ユニット駆動回路１１の
出力信号（ＰＷＭ変調信号）パスをスイッチにより切り替える手段２７を設けることで、着信音出力とバイブレータ等の振動ユニット１６および着信ＬＥＤユニット２０の動作を選択して動作させることができる。また、スイッチ２２、２３、２５をすべて閉じた場合、発音ユニット駆動回路１１の出力信号に連動して着信音と振動ユニット１６および着信ＬＥＤユニット２０が動作する構成となることから、実施の形態３と同様の効果が得られる。
【産業上の利用可能性】
【００４０】
この発明の活用例として、ディジタルオーディオアンプを有した携帯電話機等の形態端末装置に適用できる。
【図面の簡単な説明】
【００４１】
【図１】この発明の実施の形態１における携帯電話機の全体構成を示すブロック図である。
【図２】この発明の実施の形態１における携帯電話機の着信報知手段制御装置のブロック図である。
【図３】この発明の実施の形態２における携帯電話機の着信報知手段制御装置のブロック図である。
【図４】この発明の実施の形態３における携帯電話機の着信報知手段制御装置のブロック図である。
【図５】この発明の実施の形態４における携帯電話機の着信報知手段制御装置のブロック図である。
【図６】この発明の実施の形態５における携帯電話機の着信報知手段制御装置のブロック図である。
【図７】この発明の実施の形態６における携帯電話機の着信報知手段制御装置のブロック図である。
【符号の説明】
【００４２】
１  携帯電話機      
２  アンテナ        
３  無線部        
４  音声処理部
５  制御部        
６  送話部        
７  受話部        
８  表示部
９  入力部        
１０  着信報知手段制御回路部    
１１  発音ユニット駆動回路
１２  低域通過フィルタ
１３  発音ユニット
１４  制御信号補正回路
１５  振動ユニット駆動回路
１６  振動ユニット
１７  着信報知手段制御装置
１８  発音手段
１９  振動手段
２０  着信ＬＥＤユニット
２１  表示手段
２２、２３、２５  スイッチ
２４、２６、２７  切替手段
【図１】
2006115085.tif 000003
【図２】
2006115085.tif 000004
【図３】
2006115085.tif 000005
【図４】
2006115085.tif 000006
【図５】
2006115085.tif 000007
【図６】
2006115085.tif 000008
【図７】
2006115085.tif 000009